(57)【要約】【課題】  排気ファンの消費電力が小さくなり、さらに開口部近傍に誘引された虫を捕虫液に確実に誘引することができる捕獲殺虫装置を提供する。【解決手段】  虫を誘引するよう紫外線を含有した誘虫光を照射する誘引光源８と、捕虫液１１を溜める捕虫液容器４と、虫を内部に誘引する開口部７を有して、捕虫液容器４の上面を覆うよう設けられたカバー体２と、内部を排気するようカバー体２に設けられた排気ファン３と、が備えられた捕獲殺虫装置１であって、誘引光源８が、その軸を略水平となるよう捕虫液容器４の上方に配置され、カバー体２は捕虫液容器４の上端縁部５から誘引光源８まで延出されるとともに、開口部７が誘引光源８の軸を挟んだ一方側に、排気ファン３が他方側にそれぞれ設けられてなっている。【選択図】図１
2006115718.tif 000002
【特許請求の範囲】
【請求項１】
虫を誘引するよう紫外線を含有した誘虫光を照射する誘引光源と、捕虫液を溜める捕虫液容器と、虫を内部に誘引する開口部を有して、捕虫液容器の上面を覆うよう設けられたカバー体と、内部を排気するようカバー体に設けられた排気ファンと、が備えられた捕獲殺虫装置であって、
誘引光源がその軸を略水平となるよう捕虫液容器の上方に配置され、カバー体は、捕虫液容器の上端縁部から誘引光源まで延出されるとともに、開口部が誘引光源の軸を挟んだ一方側に、排気ファンが他方側にそれぞれ設けられてなることを特徴とする捕獲殺虫装置。
【請求項２】
開口部及び排気ファンが誘引光源の底部よりも高い位置に設けられたことを特徴とする請求項１に記載の捕獲殺虫装置。
【請求項３】
誘引光源は、外周を誘虫光の透過可能な透光部材で覆ってなることを特徴とする請求項１又は２に記載の捕獲殺虫装置。
【請求項４】
捕虫液容器の内面を誘虫光を反射する反射面としていることを特徴とする請求項１〜３のいずれかに記載の捕獲殺虫装置。
【請求項５】
捕虫液容器の底面が曲面であることを特徴とする請求項１〜４のいずれかに記載の捕獲殺虫装置。
【請求項６】
捕虫液に虫を誘引する誘引剤を入れたことを特徴とする請求項１〜５のいずれかに記載の捕獲殺虫装置。
【発明の詳細な説明】
【技術分野】
【０００１】
本発明は、誘引光を照射して虫を捕虫液に誘引捕獲する捕獲殺虫装置に関するものである。
【背景技術】
【０００２】
従来から、捕獲殺虫装置として、虫を誘引するよう紫外線を含有した誘虫光を照射する誘引光源と、捕虫液を溜める捕虫液容器と、虫を内部に誘引する開口部を有して、捕虫液容器の上面を覆うよう設けられたカバー体と、内部を排気するようカバー体に設けられた排気ファンと、が備えられたものが知られている。
【０００３】
これについては、特開平１０−３３１０３号公報（特許文献１）に記載されているもの、すなわち、図４に示す如く、捕虫液容器４の上面を覆うように、開口部７を有し、排気ファンが設けられたカバー体２が備えられ、カバー体２の外部に誘引光源８が備えられた構成を例示できる。
【０００４】
この構成により、誘虫光を照射する誘引光源８により開口部７の近傍に誘引された虫は、排気ファン３がカバー体２の内部を排気することで、カバー体２の内部に引き込まれ、捕虫液１１に捕獲されることとなる。
【特許文献１】特開平１０−３３１０３号公報
【発明の開示】
【発明が解決しようとする課題】
【０００５】
しかしながら、上記構成では、誘引光源８がカバー体２の外部に備えられているため、誘引した虫は専ら排気ファン３のみによって捕虫液１１に引き込まれており、消費電力が大きくなるおそれがある。
【０００６】
本願発明は、上記背景技術に鑑みて発明されたものであり、その課題は、排気ファンの消費電力が小さくなり、さらに開口部近傍に誘引された虫を捕虫液に確実に誘引することができる捕獲殺虫装置を提供することである。
【課題を解決するための手段】
【０００７】
上記課題を解決するために、本願発明は、虫を誘引するよう紫外線を含有した誘虫光を照射する誘引光源と、捕虫液を溜める捕虫液容器と、虫を内部に誘引する開口部を有して、捕虫液容器の上面を覆うよう設けられたカバー体と、内部を排気するようカバー体に設けられた排気ファンと、が備えられた捕獲殺虫装置であって、誘引光源がその軸を略水平となるよう捕虫液容器の上方に配置され、カバー体は、捕虫液容器の上端縁部から誘引光源まで延出されるとともに、開口部が誘引光源の軸を挟んだ一方側に、排気ファンが他方側にそれぞれ設けられてなることを特徴とする捕獲殺虫装置である。
【発明の効果】
【０００８】
本願発明によれば、カバー体は捕虫液容器の上端縁部から誘引光源まで延出されるので、その軸を略水平となるよう捕虫液容器の上方に配置された誘引光源と捕虫液面とが、その中間に介在するものがなく対向し、捕虫液面で反射した誘引光源の光が、開口部からカバー体の外部に照射されるので、捕虫液自体が虫を誘引することができ、従って、排気ファンの消費電力が小さくなる。さらに開口部の設けられた一方側に対し、誘引光源の軸を挟んだ他方側に、排気ファンが設けられているので、開口部から、誘引光源と捕虫液面との隙間に向かって気流を生じさせ、開口部近傍に誘引された虫を捕虫液に確実に誘引することができる。
【発明を実施するための最良の形態】
【０００９】
図１〜図３は、本願の請求項１〜６のすべてに対応した一実施形態である捕獲殺虫装置１を示している。
【００１０】
本実施形態の捕獲殺虫装置１は、図１に示す如く、虫を誘引するよう紫外線を含有した誘虫光を照射する誘引光源８と、捕虫液１１を溜める捕虫液容器４と、虫を内部に誘引する開口部７を有して、捕虫液容器４の上面を覆うよう設けられたカバー体２と、内部を排気するようカバー体２に設けられた排気ファン３と、が備えられた捕獲殺虫装置１であって、誘引光源８が、その軸を略水平となるよう捕虫液容器４の上方に配置され、カバー体２は、捕虫液容器４の上端縁部５から誘引光源８まで延出されるとともに、開口部７が誘引光源８の軸を挟んだ一方側に、排気ファン３が他方側にそれぞれ設けられてなっている。
【００１１】
ここで開口部７及び排気ファン３が、誘引光源８の底部１０よりも高い位置に設けられている。さらに、誘引光源８は、外周を誘虫光の透過可能な透光部材６で覆ってなっている。
【００１２】
また捕虫液容器４の内面を誘虫光を反射する反射面とし、捕虫液容器４の底面が曲面である。さらに、捕虫液１１に虫を誘引する誘引剤を入れている。
【００１３】
以下、本実施形態による捕獲殺虫装置１を、より具体的詳細に説明する。最初に誘引光源８について説明する。これは、図１及び図２に示す如く、円柱状の紫外線ランプ９と、紫外線ランプ９を覆ってなる薄肉円筒状の透光部材６と、紫外線ランプ９に電流を供給する給電機構（図示しない）と、を有している。ここで、透光部材６の両端部は、略中心に孔を有する円板で塞がれており、この孔によって紫外線ランプ９の外周が支持される。またこの孔から給電回路に接続する端子（図示しない）が露出することとなる。ここで透光部材６としては、紫外線透過型透明アクリルパイプのように紫外線を含有した誘引光を効率よく透過できるものが例示される。
【００１４】
この誘引光源８は、カバー体２（詳細後述）のうち誘引光源８の軸と直交する端面方向に設けられる薄肉で略三角板状の端面部１３に設けられた凹部１４に載置される。この状態で誘引光源８は、その軸を略水平となるよう捕虫液容器４の上方に配置される。またここで、誘引光源８の底部１０は捕虫液容器４の上端縁部５の長辺よりも低い位置に設けられることとなる。
【００１５】
次に捕虫液容器４について説明する。これは、図１及び図２に示す如く、上面が長方形に開口し、両端が薄肉半円状の部材で塞がれた、底部を曲面とする略樋状の容器であり、脚部（図示しない）により横転しないよう支持されている。ここで、両端を塞ぐ薄肉半円状の部材の上端部は、カバー体２の端面部１３に設けられた凹部１４の形状に沿った、円弧状の切り欠きを有している。
【００１６】
また、捕虫液容器４の内面を誘虫光を反射する反射面としている。反射面は捕虫液容器４をステンレス等の金属で成形し、この内面を鏡面仕上げしたものでもよいし、捕虫液容器４をプラスチック等の非金属で成形し、この内面に誘虫光を反射する部材を設けることとしてもよい。そしてこの捕虫液容器４に入れる捕虫液１１には虫を誘引する誘引剤を入れている。ここで誘引剤としては、人に対しての毒性の低いものであり、通常使用されていて、虫を誘引することができるものを使用し、乳酸、フェロモン、果汁が例示される。
【００１７】
次にカバー体２について説明する。これは、図１〜図３に示す如く、誘引光源８の軸方向と平行する側面方向に設けられる１枚の薄肉四角板状の側面部１２と、誘引光源８の軸方向と直交する端面方向に設けられる２枚の薄肉で略三角板状の端面部１３（凹部１４が設けられている）と、を有している。
【００１８】
ここで、側面部１２は、捕虫液容器４の上端縁部５の長辺から誘引光源８の外周に外接するように延出されている。また、端面部１３（凹部１４が設けられる）は、捕虫液容器４の上端縁部５の短辺（円弧状の切り欠きを含む）から誘引光源８の外周に凹部１４が外接するように延出されている。そして側面部１２の短辺と端面部１３の斜辺の一つが接触するものとなっている。このカバー体２としては、ポリプロピレン等のプラスチックやステンレス等の金属のように薄肉板状の形状をとりうるものが例示される。
【００１９】
なお、側面部１２を１枚とすることで、誘引光源８の軸を挟んだ一方側（側面部１２が設けられていない側）に開口部７を有するものとしている。ここで開口部７は、誘引光源８の底部１０が捕虫液容器４の上端縁部５の長辺よりも低い位置に設けられることより、誘引光源８の底部１０よりも高い位置に設けられる。
【００２０】
次に排気ファン３について説明する。これは、図１及び図２に示す如く、２個の軸流ファンと、これに電流を供給する給電機構（図示しない）と、を有している。ここで排気ファン３は、開口部７と同様に、誘引光源８の底部１０よりも高い位置に設けられる。
【００２１】
従って、本実施形態によれば、誘引光源８と捕虫液１１の液面とが、その中間に介在するものがなく対向し、捕虫液１１の液面で反射された誘引光源８の誘虫光が、開口部７からカバー体２の外部に照射され、捕虫液１１自体が虫を誘引することができ、従って、排気ファン３の消費電力が小さくなる。さらに開口部７の設けられた一方側に対し、誘引光源８の軸を挟んだ他方側に、排気ファン３が設けられているので、開口部７から、誘引光源８と捕虫液１１の液面との隙間に向かって気流を生じさせ、開口部７の近傍に誘引された虫を捕虫液１１に確実に誘引することができる。
【００２２】
また本実施形態によれば、開口部７及び排気ファン３が誘引光源８の底部１０よりも高い位置に設けられているので、誘引光源８を捕虫液１１の液面により近接させることができ、この隙間を通過する気流の風速が大きくなり、さらに捕虫液１１の液面での誘引光源８の誘虫光がより効率よく反射されることとなる。
【００２３】
また本実施形態によれば、誘引光源８を透光部材６で覆ってなるので、捕虫液１１による誘引光源８の汚れ又は損傷を防止することができ、誘引光源８を捕虫液１１の液面に一層近接させることができる。従って、この隙間を通過する気流の風速が一層大きくなり、さらに捕虫液１１の液面での誘引光源８の誘虫光が一層効率よく反射されることとなるので、一層効率的に捕虫することができる。
【００２４】
また本実施形態によれば、捕虫液容器４の内面が反射面であるので、捕虫液１１の液面が反射する誘虫光の光を補足し、虫を直接に捕虫液１１へ誘引できる。
【００２５】
また本実施形態によれば、捕虫液容器４は底面が曲面で角部がなくなるので、虫の死骸が一箇所に溜まることがない。
【００２６】
さらに本実施形態によれば、捕虫液１１に虫を誘引する誘引剤を入れてあるので、捕虫能力がさらに向上する。
【図面の簡単な説明】
【００２７】
【図１】本願発明の一実施形態の斜視図
【図２】同上の誘引光源の軸方向断面図。
【図３】同上のカバー体の斜視図
【図４】従来例の縦断面図
【符号の説明】
【００２８】
１  捕獲殺虫装置
２  カバー体
３  排気ファン
４  捕虫液容器
５  上端縁部
６  透光部材
７  開口部
８  誘引光源
１０  底部
１１  捕虫液
【図１】
2006115718.tif 000003
【図２】
2006115718.tif 000004
【図３】
2006115718.tif 000005
【図４】
2006115718.tif 000006